(57)【要約】  【課題】      安価に製造でき、しかも安定した品質を得ることのできる、床板支持装置およびその製造方法を提供する。  【解決手段】  床板支持装置１０は、床板１４を受ける合成樹脂製の床受部材１６と、金属製の雌ねじ部材１８と、上端部が雌ねじ部材１８に螺合された高さ調節用ボルト２０と、高さ調節用ボルト２０の下端部に取り付けられた防振部材２２とによって構成されている。床受部材１６を成形する際には、金型キャビティ内に雌ねじ部材１８を配置し、その状態で金型キャビティ内に合成樹脂を射出する。すると、床受部材１６が成形されると同時に、床受部材１６と雌ねじ部材１８とが強固に一体化される。【選択図】      図１
2005127032.tif 000002
【特許請求の範囲】
【請求項１】
床板を受ける合成樹脂製の床受部材、
前記床受部材の中央部に上下方向へ貫通して設けられた金属製の雌ねじ部材、
上端部が前記雌ねじ部材に螺合された高さ調節用ボルト、および
前記高さ調節用ボルトの下端部に取り付けられた防振部材を備える、床板支持装置。
【請求項２】
（ａ）金型キャビティ内に金属製の雌ねじ部材を配置し、
（ｂ）前記金型キャビティ内に合成樹脂を射出することによって前記雌ねじ部材と一体に合成樹脂製の床受部材を形成し、
（ｃ）前記雌ねじ部材および前記床受部材を離型した後、前記雌ねじ部材に高さ調節用ボルトの上端部を螺合するとともに、前記高さ調節用ボルトの下端部に防振部材を取り付ける、床板支持装置の製造方法。
【発明の詳細な説明】
【技術分野】
【０００１】
本発明は、床下地面（コンクリートスラブ等）の上に所定の間隔を隔てて床板（合板やパーティクルボード等）を水平に支持するのに用いられる床板支持装置およびその製造方法に関する。
【背景技術】
【０００２】
この種の従来の床板支持装置の一例が、実用新案登録第２５４６２０７号公報（特許文献１）に開示されている。この従来の床板支持装置１では、ベースパネル（床板）Ｂを受ける木製の床板受け部材（床受部材）５の中央部に金属製の雌ねじ部材４が手作業により嵌め込まれ、この雌ねじ部材４に高さ調節用ボルト３の上端部が螺合され、高さ調節用ボルト３の下端部に接床基台２が回転自在に取り付けられていた。
【特許文献１】実用新案登録第２５４６２０７号公報
【発明の開示】
【発明が解決しようとする課題】
【０００３】
従来の床板支持装置１では、金属製の雌ねじ部材４を、木製の床板受け部材（床受部材）５の中央部に手作業で嵌め込むようにしていたので、製造工程が煩雑であり、コスト高になるという問題があった。また、手作業であるために、品質が安定しないという問題もあった。
【０００４】
それゆえに、この発明の主たる目的は、安価に製造でき、しかも安定した品質を得ることのできる、床板支持装置およびその製造方法を提供することである。
【課題を解決するための手段】
【０００５】
請求項１に記載した発明は、「床板１４を受ける合成樹脂製の床受部材１６、床受部材１６の中央部に上下方向へ貫通して設けられた金属製の雌ねじ部材１８、上端部が雌ねじ部材１８に螺合された高さ調節用ボルト２０、および高さ調節用ボルト２０の下端部に取り付けられた防振部材２２を備える、床板支持装置１０」である。
【０００６】
この発明では、合成樹脂製の床受部材１６を用いるようにしているので、床受部材１６を射出成形することができる。したがって、金型キャビティ４８内に雌ねじ部材１８を配置した状態で床受部材１６を射出成形すると、合成樹脂製の床受部材１６と金属製の雌ねじ部材１８とを容易に一体化させることができる。
【０００７】
請求項２に記載した発明は、「（ａ）金型キャビティ４８内に金属製の雌ねじ部材１８を配置し、（ｂ）金型キャビティ４８内に合成樹脂を射出することによって雌ねじ部材１８と一体に合成樹脂製の床受部材１６を形成し、（ｃ）雌ねじ部材１８および床受部材１６を離型した後、雌ねじ部材１８に高さ調節用ボルト２０の上端部を螺合するとともに、高さ調節用ボルト２０の下端部に防振部材２２を取り付ける、床板支持装置１０の製造方法」である。
【０００８】
この発明では、金型キャビティ４８内に雌ねじ部材１８を配置した状態で床受部材１６を射出成形するようにしているので、床受部材１６の成形と同時に床受部材１６と雌ねじ部材１８とが強固に一体化される。
【発明の効果】
【０００９】
請求項１および２に記載した発明によれば、床受部材を射出成形すると同時に床受部材と雌ねじ部材とを一体化させることができるので、床受部材に雌ねじ部材を手作業で嵌め込む手間を省くことができる。したがって、安価に製造できるとともに、安定した品質を得ることができる。また、床受部材の原材料として、ＰＥ（ポリエチレン），ＰＰ（ポリプロピレン）またはＡＢＳ等のような合成樹脂の特に廃材を利用し、木質材料を使用しないことから、環境負荷を低減することもできる。
【発明を実施するための最良の形態】
【００１０】
図１〜図４を参照して、本発明が適用された床板支持装置１０は、床下地面（コンクリートスラブ等）１２の上に所定の間隔を隔てて床板（合板やパーティクルボード等）１４を水平に支持するためのものであり、床板１４を受ける床受部材１６と、雌ねじ部材１８と、高さ調節用ボルト２０と、防振部材２２とによって構成されている。
【００１１】
床受部材１６は、ＰＥ（ポリエチレン），ＰＰ（ポリプロピレン）またはＡＢＳ等のような合成樹脂の射出成形によって形成される板状部材であり、略正方形の本体部２４を含む。本体部２４の上面は平坦に仕上げられており、本体部２４の下面中央部には、筒状部２６が形成されており、筒状部２６の周囲には、筒状部２６の外周面から放射状に延びる複数（この実施例では８個）の補強リブ２８が形成されている。そして、床受部材１６の上面（すなわち本体部２４の上面）には、床板１４に対して床受部材１６を固着するための粘着層３０が形成されている。
【００１２】
なお、本体部２４の形状は、特に限定されるものではなく、三角形，六角形または円形等であってもよい。
【００１３】
雌ねじ部材１８は、スチール等のような金属からなる筒状の本体３２を含み、本体３２の内周面には、雌ねじ３４が形成されており、外周面には、床受部材１６からの離脱を防止するための鍔状の係止突起３６が形成されている。この雌ねじ部材１８は、床受部材１６を射出成形する際に、床受部材１６の中央部に埋め込まれるが、その方法については後述する。
【００１４】
高さ調節用ボルト２０は、外周面に雄ねじ３８ａが形成された棒状のボルト本体３８を含み、ボルト本体３８の上端部には、ドライバーを係止させるための十字溝４０（図４）が形成されており、下端部には、円盤状の係止部４２が形成されている。高さ調節用ボルト２０の太さおよび長さは、床板１４の高さを調節して確実に支持する機能を発揮させる観点から設定されるが、その具体的な寸法は特に限定されるものではない。ただし、通常は、床下地面１２から床仕上げ面までの高さが１００〜３５０ｍｍの範囲内に設定されるので、その範囲内の高さに応じて調節用ボルト２０の長さが設定される。
【００１５】
防振部材２２は、ゴム等のような弾性材料によって一体成形された有底筒状部材であり、防振部材２２の中央部に確保された凹部４４に、高さ調節用ボルト２０の下端部が挿入され、凹部４４の内面に突設された係止突起４６に、高さ調節用ボルト２０の係止部４２が係止される。
【００１６】
床板支持装置１０を製造する際には、まず、床受部材１６と雌ねじ部材１８とを一体化させた部材（以下、「一体化部材」という。）と、高さ調節用ボルト２０と、防振部材２２とを準備する。
【００１７】
床受部材１６と雌ねじ部材１８とを一体化させる際には、まず、図５に示すように、金型キャビティ４８内に金属製の雌ねじ部材１８を配置して型締めする。続いて、図６に示すように、金型キャビティ４８内に加熱溶融された合成樹脂を射出することによって、雌ねじ部材１８と一体に合成樹脂製の床受部材１６を形成する。その後、合成樹脂を冷却して、金型から一体化部材（床受部材１６および雌ねじ部材１８）を離型する。
【００１８】
そして、全ての構成部材が揃うと、雌ねじ部材１８に高さ調節用ボルト２０の上端部を螺合するとともに、高さ調節用ボルト２０の下端部に防振部材２２を取り付ける。
【００１９】
なお、図５および図６では、１つの金型キャビティ４８を有する金型を示したが、大量生産のためには、複数の金型キャビティ４８を有する金型を用いることが望ましい。
【００２０】
床板支持装置１０を使用する際には、まず、床板１４の下面に複数の床板支持装置１０を、粘着層３０を用いて取り付ける。そして、床下地面１２の不陸を吸収するようにして、各床受部材１６の高さを個別に調節する。つまり、各床板支持装置１０における高さ調節用ボルト２０を回転させることによって、高さ調節用ボルト２０に対する床受部材１６の高さを調節する。このようにして、床板１４が水平になると、床板１４の上面に仕上げ用の床材（図示省略）を敷設する。
【００２１】
この実施例によれば、金型キャビティ４８内に雌ねじ部材１８を配置した状態で床受部材１６を射出成形するようにしているので、合成樹脂製の床受部材１６と金属製の雌ねじ部材１８とを容易に一体化させることができる。したがって、安定した品質で安価に製造でき、大量生産に適する。
【００２２】
また、金属製の雌ねじ部材１８を用いているので、高い強度を得ることができ、合成樹脂製の床受部材１６を用いているので、優れた施工性を得ることができる。
【図面の簡単な説明】
【００２３】
【図１】床板支持装置を示す断面図である。
【図２】床板支持装置を示す分解図である。
【図３】床板支持装置を示す分解斜視図である。
【図４】床板支持装置を示す平面図である。
【図５】一体化部材の成形方法（雌ねじ部材の配置工程）を示す図である。
【図６】一体化部材の成形方法（合成樹脂の射出工程）を示す図である。
【符号の説明】
【００２４】
１０…  床板支持装置
１２…  床下地面
１４…  床板
１６…  床受部材
１８…  雌ねじ部材
２０…  高さ調節用ボルト
２２…  防振部材
４８…  金型キャビティ
【図１】
2005127032.tif 000003
【図２】
2005127032.tif 000004
【図３】
2005127032.tif 000005
【図４】
2005127032.tif 000006
【図５】
2005127032.tif 000007
【図６】
2005127032.tif 000008